(57)【要約】【課題】材料投入口からカッター部分に手が入らないようにすると共に、開口が比較的大きく、使用勝手の良いジューサーを提供する。【解決手段】カッター５を備えると共に電動機２により回転駆動される分離籠６と、前記分離籠６を覆い前記カッター５に対面する材料投入口７を備えた蓋８と、前記材料投入口７に抜き差しする押し込み棒１と、前記材料投入口７内に設けられ、前記押し込み棒１を前記材料投入口７に差し込むと前記材料投入口７を開口し、前記押し込み棒１を前記材料投入口７から抜くと前記材料投入口７を閉じる停止板９、１０とを備えたもので、押し込み棒１を抜いたときは、停止板９、１０により、手が入らず、材料投入口７の開口を比較的大きくすることができるものである。【選択図】図１
2008289530.tif 000002
【特許請求の範囲】
【請求項１】
カッターを備えると共に電動機により回転駆動される分離籠と、前記分離籠を覆い前記カッターに対面する材料投入口を備えた蓋と、前記材料投入口に抜き差しする押し込み棒と、前記材料投入口内に設けられ、前記押し込み棒を前記材料投入口に差し込むと前記材料投入口を開口し、前記押し込み棒を前記材料投入口から抜くと前記材料投入口を閉じる２枚以上の停止板とを備えたジューサー。
【請求項２】
停止板を、材料投入口を閉じる方向に付勢した請求項１に記載のジューサー。
【請求項３】
停止板を回転自在に軸支した請求項１又は２に記載のジューサー。
【請求項４】
停止板を材料投入口を閉じる位置で係止し、押し込み棒が挿入されると、前記停止板の係止を解除するラツチ板を、前記材料投入口内に備えた請求項１〜３のいずれか１項に記載のジューサー。
【請求項５】
１枚の停止板に対して２個以上のラツチ板を備えた請求項４に記載のジューサー。
【発明の詳細な説明】
【技術分野】
【０００１】
本発明は、一般家庭で使用されるジューサーに関するもので、特に、ジューサーの材料投入口に関するものである。
【背景技術】
【０００２】
従来のジューサーは、カッターの上面に開口した材料投入口を設けて、そこから材料を投入し、押し込み棒でその材料を押し込むようにしていた（例えば、特許文献１参照）。
【特許文献１】特開昭６１−１８５２１８号公報
【発明の開示】
【発明が解決しようとする課題】
【０００３】
しかしながら、前記従来のジューサーの構成によると、材料投入口からカッターまで直通しているため、手が入らないよう材料投入口の開口を小さくしなければならず、そのため材料を小さく切らなければならず、使用勝手が悪いという課題があった。
【０００４】
本発明は、前記従来の課題を解決するもので、開口を比較的に大きくでき、かつ材料投入口内の停止板上の材料収容量が多く、使用勝手の良いジューサーを提供することを目的とする。
【課題を解決するための手段】
【０００５】
前記従来の課題を解決するために、本発明のジューサーは、カッターを備えると共に電動機により回転駆動される分離籠と、前記分離籠を覆い前記カッターに対面する材料投入口を備えた蓋と、前記材料投入口に抜き差しする押し込み棒と、前記材料投入口内に設けられ、前記押し込み棒を前記材料投入口に差し込むと前記材料投入口を開口し、前記押し込み棒を前記材料投入口から抜くと前記材料投入口を閉じる２枚以上の停止板とを備えたもので、押し込み棒を抜いたときは、停止板により、手が入らず、また、材料投入口の開口を比較的大きくすることができ、使用勝手の良いものである。
【発明の効果】
【０００６】
本発明のジューサーは、材料投入口に２枚以上の停止板を設けているため、手が入らず材料投入口の開口を比較的に大きくできるものである。
【発明を実施するための最良の形態】
【０００７】
第１の発明は、カッターを備えると共に電動機により回転駆動される分離籠と、前記分離籠を覆い前記カッターに対面する材料投入口を備えた蓋と、前記材料投入口に抜き差しする押し込み棒と、前記材料投入口内に設けられ、前記押し込み棒を前記材料投入口に差し込むと前記材料投入口を開口し、前記押し込み棒を前記材料投入口から抜くと前記材料投入口を閉じる２枚以上の停止板とを備えたもので、押し込み棒を抜いたときは、停止板により、手が入らず、また、材料投入口の開口を比較的大きくすることができ、使用勝手の良いものである。
【０００８】
第２の発明は、特に、第１の発明の停止板を、材料投入口を閉じる方向に付勢したもので、押し込み棒を材料投入口から抜き取ると自動的に停止板を閉じることができるものである。
【０００９】
第３の発明は、特に、第１又は第２の発明の停止板を回転自在に軸支したもので、簡単な構成で、停止板を開閉させることができる。
【００１０】
第４の発明は、特に、第１〜３のいずれか一つの発明の停止板を材料投入口を閉じる位置で係止し、押し込み棒が挿入されると、前記停止板の係止を解除するラツチ板を、前記材料投入口内に備えたもので、停止板が閉じているときはラツチ板で開かないよう固定しているため、確実に手を入れられないようにすることができる。
【００１１】
第５の発明は、特に、第４の発明の１枚の停止板に対して２個以上のラツチ板を備えたもので、２個以上のラツチ板の解除は１本の指で行えないので、より安全である。
【００１２】
以下、本発明の実施の形態について、図面を参照しながら説明する。なお、この実施の形態によって本発明が限定されるものではない。
【００１３】
（実施の形態１）
図１は、本発明の実施の形態１におけるジューサーの縦断面図、図２は、同ジューサーの縦断面図（押し込み棒を抜いた状態）、図３は、同ジューサーの要部縦断面図、図４は、同ジューサーの要部縦断面図（押し込み棒を抜いた状態）、図５は、同ジューサーの要部横断面図（押し込み棒を抜いた状態）である。
【００１４】
図１〜図５において、本実施の形態におけるジューサーは、電動機２を内蔵した本体３上に、容器４と、カッター５を備えた分離籠６を着脱自在に載置しており、分離籠６は、電動機２により回転駆動される。容器４の上部には、カッター５に対面する材料投入口７を備えた蓋８を着脱自在に載置している。材料投入口７は、押し込み棒１が抜き差しできるようになっており、材料投入口７に投入した材料を、押し込み棒１により下方に押し込める。
【００１５】
材料投入口７には、２枚の停止板９、１０のそれぞれの一端が、それぞれ軸１１ａ、１１ｂと１２ａ、１２ｂにより回転自在に軸支されており、停止板９、１０は、それぞれキックバネ１３ａ、１３ｂおよび１４ａ、１４ｂにより、停止板９、１０を材料投入口７の開口を塞ぐ方向に付勢している。
【００１６】
さらに、材料投入口７には、コイルバネ（図示せず）で付勢されたラツチ板１５ａ、１５ｂおよび１６ａ、１６ｂを設けており、停止板９、１０を、ラツチ板１５ａ、１５ｂおよび１６ａ、１６ｂのラッチ部１７ａ、１７ｂおよび１８ａ、１８ｂで、停止板９、１０が材料投入口７の開口を塞ぐ位置に固定していて、押し込み棒１を、材料投入口７に差し込むと、押し込み棒１がラツチ板１５ａ、１５ｂおよび１６ａ、１６ｂの解除部１９ａ、１９ｂおよび２０ａ、２０ｂを押して、停止板９、１０とラツチ板１５ａ、１５ｂおよび１６ａ、１６ｂのラッチ部１７ａ、１７ｂおよび１８ａ、１８ｂの固定を解除するようにしている。
【００１７】
以上のように、本実施の形態によれば、押し込み棒１を、材料投入口７に差し込むと、材料投入口７を開口し、押し込み棒１を材料投入口７から抜くと材料投入口７を閉じる２枚の停止板９、１０を設けているため、手が入らず材料投入口７の開口を大きくできる。
【００１８】
また、停止板９、１０は、閉じる方向にキックバネ１３ａ、１３ｂおよび１４ａ、１４ｂにより付勢されているので、押し込み棒１を材料投入口７から抜き取ると自動的に停止板９、１０を閉じ、停止板９、１０は、閉じているときは、ラツチ板１５ａ、１５ｂおよび１６ａ、１６ｂで開かないよう固定され、また、ラツチ板９、１０の解除を指１本では行えないようにしているので確実に手の侵入を防ぐことができる。
【００１９】
さらに、停止板９、１０を２枚にしていることにより、停止板９、１０のそれぞれを短くできるので、それぞれを回動させるために下部に必要な空間が少なくてすみ、その分、材料投入口７内の停止板上９、１０の材料収容量を多くすることができる。
【産業上の利用可能性】
【００２０】
以上のように本発明にかかるジューサーは、材料投入口の開口が比較的大きくでき、かつ材料投入口内の停止板上の材料収容量が多く、使用勝手が良いもので、ジューサーに限らず、材料投入口と押し込み棒を有する各種食品加工機械にも適用できる。
【図面の簡単な説明】
【００２１】
【図１】本発明の実施の形態１におけるジューサーの縦断面図
【図２】同ジューサーの縦断面図（押し込み棒を抜いた状態）
【図３】同ジューサーの要部縦断面図
【図４】同ジューサーの要部縦断面図（押し込み棒を抜いた状態）
【図５】同ジューサーの要部横断面図（押し込み棒を抜いた状態）
【符号の説明】
【００２２】
１  押し込み棒
２  電動機
５  カッター
６  分離籠
７  材料投入口
８  蓋
９、１０  停止板
１５ａ、１５ｂ、１６ａ、１６ｂ  ラッチ板
【図１】
2008289530.tif 000003
【図２】
2008289530.tif 000004
【図３】
2008289530.tif 000005
【図４】
2008289530.tif 000006
【図５】
2008289530.tif 000007